(57)【要約】【課題】移動体の貸し出し制御を代理すると共に、移動体の貸し出し制御に対する料金を動的に設定することが可能な、情報処理装置、および情報処理システムを提供する【解決手段】移動体の貸し出しに関する制御処理を行う貸出制御部と、移動体の貸し出しに関する貸出情報に基づき取得される指標に基づいて、制御処理に対する制御料金を動的に設定する料金設定部と、行われた制御処理の内容と、設定された制御料金との一方または双方を含む制御結果情報を、所定の外部装置へ送信させる送信制御部と、を備える、情報処理装置が、提供される。【選択図】図１
2019185671.tif 000002
【特許請求の範囲】
【請求項１】
移動体の貸し出しに関する制御処理を行う貸出制御部と、
前記移動体の貸し出しに関する貸出情報に基づき取得される指標に基づいて、前記制御処理に対する制御料金を動的に設定する料金設定部と、
行われた前記制御処理の内容と、設定された前記制御料金との一方または双方を含む制御結果情報を、所定の外部装置へ送信させる送信制御部と、
を備える、情報処理装置。
【請求項２】
前記貸出情報には、前記移動体の貸し出し結果を示す情報が含まれ、
前記料金設定部は、
前記指標として、前記移動体の貸し出し回数を取得し、
前記移動体の貸し出し回数に対応する前記制御料金を設定する、請求項１に記載の情報処理装置。
【請求項３】
前記貸出情報には、前記移動体の貸し出し結果を示す情報が含まれ、
前記料金設定部は、
前記指標として、前記移動体の貸し出し状況を取得し、
前記貸し出し状況に対応する前記制御料金を設定する、請求項１に記載の情報処理装置。
【請求項４】
前記貸出情報には、前記移動体の貸し出しの予約に関する情報が含まれ、
前記料金設定部は、
前記指標として、前記移動体の貸し出しの予約状況を取得し、
前記予約状況に対応する前記制御料金を設定する、請求項１に記載の情報処理装置。
【請求項５】
第１の情報処理装置と、
第２の情報処理装置と、
を有し、
前記第１の情報処理装置は、
移動体の貸し出しに関する制御処理を行う貸出制御部と、
前記移動体の貸し出しに関する貸出情報に基づき取得される指標に基づいて、前記制御処理に対する制御料金を動的に設定する料金設定部と、
行われた前記制御処理の内容と、設定された前記制御料金との一方または双方を含む制御結果情報を、前記第２の情報処理装置へ送信させる送信制御部と、
を備える、情報処理システム。
【発明の詳細な説明】
【技術分野】
【０００１】
本発明は、情報処理装置、および情報処理システムに関する。
【背景技術】
【０００２】
“サービス提供者に属する装置で行われていた処理を、サービス提供者に属していない装置で行うシステム”に係る技術が、開発されている。“共同配車センター（運行管理システム）が、配車仲介契約を結んでいるタクシーに対する配車仲介業務を行い、配車仲介契約に基づいて予め定められた契約料金を徴収するタクシー配車システム”に係る技術としては、例えば下記の特許文献１に記載の技術が挙げられる。
【先行技術文献】
【特許文献】
【０００３】
【特許文献１】特開２００３−９１７９６号公報
【発明の概要】
【発明が解決しようとする課題】
【０００４】
上記特許文献１に記載のタクシー配車システムでは、共同配車センターが各タクシー会社（サービス提供者に該当する。）の代わりに配車仲介業務を行い、配車仲介業務の料金として、配車仲介契約に基づいて予め定められた契約料金が徴収される。
【０００５】
ここで、上記特許文献１に記載の技術では、配車仲介業務の代理の料金として、予め定められた契約料金が徴収されることしか考慮されていない。そのため、上記特許文献１に記載の技術を用いたとしても、サービス提供者に属する装置で行われていた処理を代理することに対する料金を動的に設定することはできない。
【０００６】
本発明の目的とするところは、移動体の貸し出し制御を代理すると共に、移動体の貸し出し制御に対する料金を動的に設定することが可能な、新規かつ改良された情報処理装置、および情報処理システムを提供することにある。
【課題を解決するための手段】
【０００７】
上記目的を達成するために、本発明の第１の観点によれば、移動体の貸し出しに関する制御処理を行う貸出制御部と、上記移動体の貸し出しに関する貸出情報に基づき取得される指標に基づいて、上記制御処理に対する制御料金を動的に設定する料金設定部と、行われた上記制御処理の内容と、設定された上記制御料金との一方または双方を含む制御結果情報を、所定の外部装置へ送信させる送信制御部と、を備える、情報処理装置が、提供される。
【０００８】
かかる構成によって、情報処理装置は、制御処理の実行を代理すると共に、動的に制御料金を設定することができる。よって、かかる構成によって、移動体の貸し出し制御が代理されると共に、移動体の貸し出し制御に対する料金が動的に設定される情報処理システムが、実現される。
【０００９】
また、上記貸出情報には、上記移動体の貸し出し結果を示す情報が含まれ、上記料金設定部は、上記指標として、上記移動体の貸し出し回数を取得し、上記移動体の貸し出し回数に対応する上記制御料金を設定してもよい。
【００１０】
また、上記貸出情報には、上記移動体の貸し出し結果を示す情報が含まれ、上記料金設定部は、上記指標として、上記移動体の貸し出し状況を取得し、上記貸し出し状況に対応する上記制御料金を設定してもよい。
【００１１】
また、上記貸出情報には、上記移動体の貸し出しの予約に関する情報が含まれ、上記料金設定部は、上記指標として、上記移動体の貸し出しの予約状況を取得し、上記予約状況に対応する上記制御料金を設定してもよい。
【００１２】
また、上記目的を達成するために、本発明の第２の観点によれば、第１の情報処理装置と、第２の情報処理装置と、を有し、上記第１の情報処理装置は、移動体の貸し出しに関する制御処理を行う貸出制御部と、上記移動体の貸し出しに関する貸出情報に基づき取得される指標に基づいて、上記制御処理に対する制御料金を動的に設定する料金設定部と、行われた上記制御処理の内容と、設定された上記制御料金との一方または双方を含む制御結果情報を、上記第２の情報処理装置へ送信させる送信制御部と、を備える、情報処理システムが、提供される。
【００１３】
かかる情報処理システムでは、第１の情報処理装置により制御処理の実行が代理されると共に、動的に制御料金が設定される。よって、かかる構成によって、移動体の貸し出し制御が代理されると共に、移動体の貸し出し制御に対する料金が動的に設定される情報処理システムが、実現される。
【発明の効果】
【００１４】
本発明によれば、移動体の貸し出し制御が代理されると共に、移動体の貸し出し制御に対する料金が動的に設定される情報処理システムが、実現される。
【図面の簡単な説明】
【００１５】
【図１】本発明の実施形態に係る情報処理システムの一例を示すブロック図である。
【図２】本発明の実施形態に係る情報処理装置の機能構成の一例を示すブロック図である。
【図３】本発明の実施形態に係る情報処理装置のハードウェア構成の一例を示す説明図である。
【発明を実施するための形態】
【００１６】
以下、添付図面を参照しながら、本発明の好適な実施の形態について詳細に説明する。なお、本明細書および図面において、実質的に同一の機能構成を有する構成要素については、同一の符号を付することにより重複説明を省略する。
【００１７】
［１］本発明の実施形態に係る情報処理システム
移動体に関するサービスを実現することが可能な従来のシステムでは、当該移動体に関するサービスを提供するサービス提供者に属する装置において、当該サービスに関する全ての処理が行われている。
【００１８】
これに対して、本発明の実施形態に係る情報処理システムは、“従来のシステムにおいて移動体に関するサービスを提供するサービス提供者に属する装置で行われていた処理のうちの、少なくとも一部の処理を、サービス提供者に属していない装置で行うシステム”である。つまり、本発明の実施形態に係る情報処理システムでは、サービス提供者に属する装置で行われていた処理のうちの少なくとも一部の処理が、サービス提供者とは異なる者に属する装置で代理される。
【００１９】
ここで、本発明の実施形態に係る一の者に属する装置とは、例えば、当該一の者が所有している装置、または、当該一の者が直接的または間接的に管理することが可能な装置をいう。また、本発明の実施形態に係る一の者に属していない装置とは、例えば、当該一の者が所有していない装置、または、当該一の者が直接的または間接的に管理することができない装置をいう。
【００２０】
本発明の実施形態に係る移動体に関するサービスとは、例えば、カーシェアリングサービスなどの、移動体の貸し出しサービスである。以下では、移動体の貸し出しサービスを提供するサービス提供者を「移動体サービス提供者」と示す。移動体サービス提供者としては、例えば、カーシェアリング会社のような、移動体の貸し出しサービス事業を行う会社が挙げられる。なお、移動体サービス提供者の例が、上記に示す例に限られないことは、言うまでもない。
【００２１】
本発明の実施形態に係る移動体としては、例えば、“自動車、自動二輪車、自転車、船、飛行機、船などの乗り物”や、“ドローンとよばれる無人飛行体などの無人の移動体”など、貸し出し対象となりうる任意の移動体が、挙げられる。以下では、本発明の実施形態に係る移動体が、自動車などの車両である場合を例に挙げる。
【００２２】
本発明の実施形態に係る情報処理システムでは、移動体の貸し出しサービスを実現するための処理のうち、移動体の貸し出し制御に関する処理（以下、「制御処理」と示す）が、“移動体サービス提供者とは異なる者に属する装置”において行われる。以下では、上記移動体サービス提供者とは異なる者を「移動体制御運用者」と示す。移動体制御運用者としては、例えば、カーシェアリング会社から移動体の貸し出し制御を委託された会社のような、移動体の貸し出し制御の代理事業を行う会社が挙げられる。なお、移動体制御運用者の例が、上記に示す例に限られないことは、言うまでもない。
【００２３】
本発明の実施形態に係る情報処理システムでは、移動体制御運用者に属する装置により制御処理（後述する）が行われるので、移動体サービス提供者は、例えば移動体のメンテナンスなどの移動体の運用を行えばよい。
【００２４】
図１は、本発明の実施形態に係る情報処理システム１０００の一例を示すブロック図であり、車両の貸し出しサービスを実現することが可能なシステムの一例である。
【００２５】
情報処理システム１０００は、例えば、情報処理装置１００（第１の情報処理装置）と、情報処理装置２００（第２の情報処理装置）とを有する。情報処理装置１００は、移動体制御運用者に属する装置の一例であり、情報処理装置２００は、移動体サービス提供者に属する装置の一例である。
【００２６】
図１では、貸し出しサービスにおける貸し出しの対象となる車両３００（移動体の一例。以下、同様とする。）を併せて示している。上述したように、車両３００は、移動体サービス提供者によって、メンテナンスなどの運用が行われうる。
【００２７】
なお、情報処理システム１０００には、貸し出しの対象となる車両３００が含まれていてもよいし、含まれていなくてもよい。また、貸し出しの対象となる車両３００の数は、図１に示す例に限られず、貸し出しの対象となる車両３００としては、１つ以上の任意の数が挙げられる。
【００２８】
また、図１では、貸出情報（後述する）が記録されるデータベースＤＢを、併せて示している。データベースＤＢは、情報処理装置１００が備える記録媒体（後述する）に記憶されていてもよいし、情報処理装置１００の外部の記録媒体に記憶されていてもよい。データベースＤＢは、情報処理装置１００が読み出すことが可能な任意の記録媒体に記憶されうる。なお、貸出情報（後述する）は、データベース形式で記録媒体に記録されることに限られず、任意の形式で記録媒体に記録されてもよい。
【００２９】
［１−１］情報処理装置１００（第１の情報処理装置）
情報処理装置１００は、移動体制御運用者に属する装置であり、移動体の貸し出しの制御に関する制御処理（後述する）を行う。
【００３０】
制御処理（後述する）は、“従来のシステムにおいて移動体サービス提供者に属する装置において行われていた、移動体の貸し出しサービスを実現するための処理のうちの一部の処理”に相当する。つまり、情報処理装置１００によって、“サービス提供者に属する装置で行われていた処理のうちの少なくとも一部の処理が、サービス提供者とは異なる移動体制御運用者に属する装置で代理される情報処理システム”、すなわち、従来のシステムとは異なる情報処理システムが、実現される。
【００３１】
また、移動体制御運用者に属する装置によって、従来のシステムで移動体サービス提供者に属する装置において行われていた制御処理（後述する）の実行が代理される場合、移動体制御運用者は、移動体サービス提供者から制御処理（後述する）の代理に応じた料金を受け取ることが、想定される。以下では、制御処理の代理に応じた料金、すなわち、制御処理に対する料金を、「制御料金」と示す。
【００３２】
上述したように、上記特許文献１に記載の技術では、配車仲介業務の代理の料金として、予め定められた契約料金が徴収されることしか考慮されていない。そのため、上記のような想定の上で、上記特許文献１に記載の技術を用いたとしても、移動体制御運用者は、予め定められた契約料金しか受け取ることができない。
【００３３】
そこで、情報処理装置１００は、制御料金を動的に設定する設定処理（後述する）をさらに行う。情報処理装置１００が設定処理（後述する）を行うことにより、行われた制御処理の結果に対応する制御料金が、動的に設定される。
【００３４】
よって、移動体制御運用者は、例えば、行われた制御処理の結果に対応する制御料金、すなわち、行われた制御処理により見合う制御料金を、移動体サービス提供者から受け取ることが可能となる。
【００３５】
次に、情報処理装置１００の構成の一例を説明しつつ、情報処理装置１００における処理の一例をより具体的に説明する。
【００３６】
図２は、本発明の実施形態に係る情報処理装置１００の機能構成の一例を示すブロック図である。情報処理装置１００は、例えば、通信部１０２と、制御部１０４とを備える。
【００３７】
また、情報処理装置１００は、例えば、記憶部（図示せず）、情報処理装置１００の使用者が操作可能な操作部（図示せず）、様々な画面を表示画面に表示する表示部（図示せず）などの一部または全部を備えていてもよい。情報処理装置１００は、例えば、データの伝送路としてのバスにより上記各構成要素間を接続する。
【００３８】
情報処理装置１００は、例えば、情報処理装置１００が備えているバッテリなどの内部電源から供給される電力、または、商用電源などの外部電源から供給される電力などによって、駆動する。
【００３９】
図３は、本発明の実施形態に係る情報処理装置１００のハードウェア構成の一例を示す説明図である。情報処理装置１００は、例えば、プロセッサ１５０と、ＲＯＭ１５２と、ＲＡＭ１５４と、記録媒体１５６と、操作デバイス１５８と、表示デバイス１６０と、通信デバイス１６２とを備える。また、情報処理装置１００は、例えば、データの伝送路としてのバス１６４で各構成要素間を接続する。情報処理装置１００は、例えば、情報処理装置１００が備えているバッテリなどの内部電源から供給される電力、または、商用電源などの外部電源から供給される電力などによって、駆動する。
【００４０】
プロセッサ１５０は、例えば１つまたは２つ以上のプロセッサで構成される。プロセッサ１５０を構成するプロセッサとしては、例えばＣＰＵ（Central  Processing  Unit）などが挙げられる。
【００４１】
プロセッサ１５０は、例えば制御部１０４の役目を果たし、情報処理装置１００全体を制御する。また、プロセッサ１５０は、情報処理装置１００において、後述する貸出制御部１１０、料金設定部１１２、および送信制御部１１４の役目を果たす。なお、プロセッサ１５０とは別体のプロセッサが、貸出制御部１１０、料金設定部１１２、および送信制御部１１４の一部または全部の役目を果たしていてもよい。
【００４２】
ＲＯＭ１５２は、プロセッサ１５０が使用するプログラムや演算パラメータなどの制御用データなどを記憶する。ＲＡＭ１５４は、例えば、プロセッサ１５０により実行されるプログラムなどを一時的に記憶する。
【００４３】
記録媒体１５６は、記憶部（図示せず）として機能する。記録媒体１５６としては、例えば磁気記録媒体や不揮発性メモリなどの任意の記録媒体が挙げられる。記録媒体１５６は、情報処理装置１００から着脱可能であってもよい。記録媒体１５６には、例えば、データベースＤＢや、情報処理装置１００として機能させるためのプログラム（コンピュータプログラム。後述する）などが、記憶されうる。
【００４４】
操作デバイス１５８は、操作部（図示せず）として機能する。操作デバイス１５８としては、例えば、ボタンや、方向キー、あるいは、これらの組み合わせなどの任意の操作デバイスが、挙げられる。
【００４５】
表示デバイス１６０は、表示部（図示せず）として機能する。表示デバイス１６０としては、例えば、液晶ディスプレイや有機ＥＬディスプレイなどの任意の表示デバイスが、挙げられる。また、表示デバイス１６０は、例えばタッチパネルなど、表示とユーザ操作とが可能なデバイスであってもよい。表示デバイス１６０における表示は、例えばプロセッサ１５０により制御される。
【００４６】
通信デバイス１６２は、通信部（図示せず）として機能し、情報処理装置２００や車両３００などの外部装置と無線通信または有線通信を行う役目を果たす。
【００４７】
通信デバイス１６２としては、例えば、通信アンテナおよびＲＦ（Radio  Frequency）回路（無線通信）や、ＩＥＥＥ８０２．１５．１ポートおよび送受信回路（無線通信）、ＩＥＥＥ８０２．１１ポートおよび送受信回路（無線通信）、あるいはＬＡＮ（Local  Area  Network）端子および送受信回路（有線通信）など、任意の通信方式に対応する通信デバイスが、挙げられる。通信部（図示せず）における通信は、例えばプロセッサ１５０により制御される。
【００４８】
情報処理装置１００は、例えば図３に示すハードウェア構成を有する。なお、本発明の実施形態に係る情報処理装置１００のハードウェア構成は、図３に示す構成に限られない。
【００４９】
例えば、情報処理装置１００が、接続されている外部の通信デバイスを介して情報処理装置２００や車両３００などの外部装置と通信を行う場合には、通信デバイス１６２を備えていなくてもよい。また、通信デバイス１６２は、複数の通信方式によって、１つまたは２つ以上の外部のデバイスと通信を行うことが可能な構成であってもよい。
【００５０】
また、情報処理装置１００では、プロセッサ１５０が、ＲＯＭとＲＡＭとの一方または双方を有していてもよい。この場合、情報処理装置１００は、ＲＯＭ１５２とＲＡＭ１５４との一方または双方を備えない構成をとることが可能である。
【００５１】
また、情報処理装置１００は、記録媒体１５６、操作デバイス１５８、および表示デバイス１６０のうちの一部または全部を備えない構成をとることが可能である。
【００５２】
また、情報処理装置１００は、例えば、後述する情報処理装置１００の適用例に応じた構成をとることが可能である。
【００５３】
また、例えば、図３に示す構成（または変形例に係る構成）の一部または全部は、１つ、または２つ以上のＩＣ（Integrated  Circuit）で実現されてもよい。
【００５４】
再度図２を参照して、情報処理装置１００の機能構成の一例を説明する。
【００５５】
通信部１０２は、例えば情報処理装置２００や車両３００などの外部装置と無線通信または有線通信を行う。通信部１０２としては、例えば後述する通信デバイス１６２が挙げられる。
【００５６】
制御部１０４は、例えばプロセッサ１５０で構成され、情報処理装置１００全体を制御する役目を果たす。
【００５７】
また、制御部１０４は、例えば、貸出制御部１１０と、料金設定部１１２と、送信制御部１１４とを備えることによって、制御処理（後述する）の実行を代理すると共に、動的に制御料金を設定する。
【００５８】
［１−１−１］貸出制御部１１０
貸出制御部１１０は、移動体の貸し出しに関する制御処理を行う。
【００５９】
本発明の実施形態に係る制御処理とは、移動体の貸し出しサービスを実現するための処理のうち、移動体の貸し出しの制御に関する処理である。制御処理としては、例えば、車両３００の予約に関する処理、および車両３００の貸し出し制御に関する処理、貸出情報を記録媒体に記録する処理など、移動体の貸し出しに関するサービスの運用に関連する処理が、挙げられる。
【００６０】
車両３００の予約に関する処理としては、例えば、制御対象の車両３００ごとに車両３００の予約状態を管理する処理が、挙げられる。車両３００の予約状態としては、例えば、車両３００の貸し出しの予約が入っている状態、予約がキャンセルされた状態、あるいは、車両３００の貸し出しの予約が入っていない状態が、挙げられる。情報処理装置１００は、車両３００の貸し出しサービスの利用者（以下、単に「利用者」と示す。）からの要求などに基づいて、車両３００の予約状態を管理するデータベース（またはテーブル）を更新することによって、車両３００の予約状態を管理する。上記予約状態を管理するデータベースは、例えば記録媒体１５６などの記録媒体に記憶される。
【００６１】
なお、車両３００の予約に関する処理の例が、上記に示す例に限られないことは、言うまでもない。
【００６２】
車両３００の貸し出し制御に関する処理としては、例えば、“所定の期間有効となる鍵情報（いわゆるワンタイムパスワード）を、車両３００を予約した利用者に対応付けられている所定の装置に対して送信する処理”が、挙げられる。利用者に対応付けられている所定の装置の一例としては、例えば、スマートフォンや、タブレット型の装置などの可搬型の装置が、挙げられる。なお、利用者に対応付けられている所定の装置が、上記に示す例に限られないことは、言うまでもない。
【００６３】
所定の装置に対して送信される鍵情報は、例えば、予約された車両３００、または、当該車両３００に備えられている認証装置で認証を行うための一時的に有効な鍵である。鍵情報としては、例えば、チャレンジレスポンス方式に対応する鍵を示すデータなどの、ワンタイムパスワードを実現することが可能な任意の方式に対応するデータが、挙げられる。
【００６４】
なお、車両３００または上記認証装置において上記鍵情報を用いる認証処理に用いられる各種データは、例えば、情報処理装置１００によって、移動体サービス提供者などの車両３００の運用者によって、あるいは、車両３００の製造者などによって、車両３００または上記認証装置が備える記録媒体に、記録されうる。情報処理装置１００によって、上記鍵情報を用いる認証処理に用いられる各種データが、車両３００または上記認証装置が備える記録媒体に記録される場合、当該記録媒体への各種データの記録は、例えば、貸し出し制御に関する処理の一環として行われる。
【００６５】
鍵情報を受信した所定の装置と車両３００との間で当該鍵情報を用いた認証が行われ、当該認証が正常に完了することによって、車両３００は正常に動作する状態となり、その結果、利用者は、車両３００を利用することが可能となる。
【００６６】
なお、本発明の実施形態に係る貸し出し制御に関する処理の例が、上記に示す例に限られないことは、言うまでもない。
【００６７】
貸出情報を記録媒体に記録する処理としては、例えば“貸出情報を、記録媒体１５６などの任意の記録媒体に記憶されているデータベースＤＢに記録する処理”が挙げられる。
【００６８】
本発明の実施形態に係る貸出情報とは、移動体の貸し出しに関するデータであり、貸出情報は、行われた制御処理の内容を示す。貸出情報としては、例えば、移動体の貸し出し結果を示す情報と、移動体の貸し出しの予約に関する情報との一方または双方が挙げられる。貸出情報には、上記予約状態を管理するデータベースが含まれていてもよい。
【００６９】
本発明の実施形態に係る移動体の貸し出し結果を示す情報としては、例えば貸し出しログデータが挙げられる。移動体の貸し出し結果を示す情報は、例えば、いつ、どこで（またはどの地域で）、どの車両３００が、どの利用者に対して、どの位の期間、貸し出されたかなどを示す。なお、移動体の貸し出し結果を示す情報が示す内容は、上記に示す例に限られない。例えば、移動体の貸し出し結果を示す情報には、例えば、移動体の予約期間（予約された貸し出し期間）、移動体が配置される地域、移動体が備える装備のうちの一部または全部などの、移動体に関連する様々な内容が、含まれていてもよい。
【００７０】
本発明の実施形態に係る移動体の貸し出しの予約に関する情報としては、例えば、予約内容を示すデータと、予約のキャンセル内容を示すデータとが挙げられる。予約内容を示すデータには、例えば、いつ、どの利用者が、どの車両３００を、どの位の期間、予約したかなどが、予約内容を特定するＩＤと対応付けて記録される。また、予約のキャンセル内容を示すデータには、例えば、いつ、どの利用者が、どの予約ＩＤの予約をキャンセルしたかなどが、記録される。なお、移動体の貸し出しの予約に関する情報が示す内容が、上記に示す例に限られないことは、言うまでもない。
【００７１】
［１−１−２］料金設定部１１２
料金設定部１１２は、設定処理を行う役目を果たし、制御処理に対する制御料金を動的に設定する。
【００７２】
料金設定部１１２は、貸出情報に基づき取得される指標に基づいて制御料金を動的に設定する。貸出情報に基づき取得される指標としては、例えば、移動体の貸し出し回数、移動体の貸し出し状況、および移動体の貸し出しの予約状況が挙げられる。
【００７３】
料金設定部１１２は、例えば記録媒体１５６などの任意の記録媒体に記憶されている貸出情報に基づいて、指標を取得する。料金設定部１１２は、例えば、記録媒体に記憶されているデータベースＤＢに記録されている貸出情報を解析することによって、指標を取得する。
【００７４】
なお、貸出情報を解析する処理は、情報処理装置１００の外部装置において行われてもよい。貸出情報を解析する処理が外部装置において行われる場合、料金設定部１１２は、例えば、当該外部装置において解析の結果得られた指標を、通信部１０２を介した通信などにより当該外部装置から取得する。
【００７５】
料金設定部１１２は、例えば、下記の（Ａ）に示す第１の例に係る設定処理、下記の（Ｂ）に示す第２の例に係る設定処理、あるいは、下記の（Ｃ）に示す第３の例に係る設定処理を行うことによって、制御料金を動的に設定する。なお、貸出情報に基づき取得される指標の例、および料金設定部１１２における設定処理の例が、下記に示す例に限られないことは、言うまでもない。
【００７６】
以下、移動体が車両３００である場合を例に挙げて、設定処理の具体例を説明する。
【００７７】
（Ａ）設定処理の第１の例：移動体の貸し出し回数を指標とする設定処理の一例
料金設定部１１２は、例えばデータベースＤＢに記録されている貸出情報を解析することによって、指標として、車両３００の貸し出し回数を取得する。一例を挙げると、料金設定部１１２は、移動体の貸し出し結果を示す情報（貸出情報の一例）を解析して、車両３００の貸し出し回数を取得する。車両３００の貸し出し回数は、車両３００ごとの貸し出し回数であってもよいし、制御対象の複数の車両３００の貸し出し回数であってもよい。制御対象の複数の車両３００の一例としては、“制御対象の全ての車両３００”、または、“所定の地域に配置されている車両３００などの、制御対象の車両３００の一部”が、挙げられる。
【００７８】
なお、料金設定部１１２は、情報処理装置１００の外部装置から車両３００の貸し出し回数を取得することも可能である。
【００７９】
車両３００の貸し出し回数が取得されると、料金設定部１１２は、車両３００の貸し出し回数に対応する制御料金を設定する。
【００８０】
料金設定部１１２は、例えば、“移動体の貸し出し回数が、設定されている貸し出し回数の閾値より大きい場合”、または、“移動体の貸し出し回数が、当該貸し出し回数の閾値以上である場合”に、より低い制御料金を設定する。
【００８１】
上記貸し出し回数の閾値が１つである場合、料金設定部１１２は、例えば基準料金よりも所定分低い制御料金を設定する。
【００８２】
また、上記貸し出し回数の閾値が複数存在する場合には、料金設定部１１２は、移動体の貸し出し回数と複数の閾値との比較によって、車両３００の貸し出し回数に応じて、段階的に低い制御料金を設定することが可能である。
【００８３】
上記貸し出し回数の閾値は、予め設定されている固定値であってもよいし、操作デバイス１５８に対する操作などに応じて変更可能な可変値であってもよい。
【００８４】
第１の例に係る設定処理を行う料金設定部１１２は、例えば上記のように、車両３００の貸し出し回数に対応してより低い制御料金を設定することによって、制御料金を動的に設定する。
【００８５】
車両３００の貸し出し回数に対応してより低い制御料金が設定される場合とは、車両３００の貸し出し回数が多い場合に該当する。ここで、車両３００の貸し出し回数に対応してより低い制御料金が設定される場合には、移動体制御運用者が制御料金を受け取る機会が増えているので、移動体制御運用者の収益は上がっている。そのため、移動体制御運用者は、いわゆるバリューディスカウントを行うことが可能である。
【００８６】
また、車両３００の貸し出し回数に対応してより低い制御料金が設定されることによって、移動体サービス提供者が移動体制御運用者に支払う制御料金は、制御料金が一定である場合よりも低くなる。よって、移動体サービス提供者は、制御料金が低くなった分を原資として、移動体に関するサービスの質の向上を図ることができ、または、利用者が支払う利用料金をより低くすることができる。
【００８７】
したがって、情報処理装置１００において第１の例に係る設定処理が行われる場合には、例えば“移動体制御運用者と移動体サービス提供者との双方共に、利益を得やすい”という効果が、奏される。
【００８８】
なお、第１の例に係る設定処理は、上記に示す例に限られない。
【００８９】
例えば、料金設定部１１２は、利用者ごとの貸し出し回数に対応して、制御料金を動的に設定してもよい。
【００９０】
（Ｂ）設定処理の第２の例：移動体の貸し出し状況を指標とする設定処理の一例
料金設定部１１２は、例えばデータベースＤＢに記録されている貸出情報を解析することによって、指標として、車両３００の貸し出し状況を取得する。一例を挙げると、料金設定部１１２は、移動体の貸し出し結果を示す情報（貸出情報の一例）を解析して、車両３００の貸し出し状況を取得する。なお、料金設定部１１２は、情報処理装置１００の外部装置から車両３００の貸し出し状況を取得することも可能である。
【００９１】
車両３００の貸し出し状況が取得されると、料金設定部１１２は、車両３００の貸し出し状況に対応する制御料金を設定する。以下、車両３００の貸し出し状況の具体例を挙げつつ、車両３００の貸し出し状況に対応する制御料金の設定する設定処理の一例を、説明する。
【００９２】
（Ｂ−１）車両３００の貸し出し状況の第１の例
本発明の実施形態に係る車両３００の貸し出し状況の第１の例としては、例えば、“車両３００ごとの、貸し出し期間の順守の割合”、“所定の地域ごとの、貸し出し期間の順守の割合”、あるいは、“車両３００が備える装備ごとの、貸し出し期間の順守の割合”が、挙げられる。車両３００の貸し出し期間の順守とは、例えば“車両３００が実際に貸し出された期間が、車両３００の予約期間に含まれること”をいう。
【００９３】
車両３００の貸し出し状況が、上記のように貸し出し期間の順守の割合で表される場合、料金設定部１１２は、貸し出し期間の順守の割合に対応する制御料金を設定する。
【００９４】
具体例を挙げると、料金設定部１１２は、“貸し出し期間の順守の割合が、設定されている順守の割合の閾値より大きい場合”、または、“貸し出し期間の順守の割合が、当該順守の割合の閾値以上である場合”に、より高い制御料金を設定する。
【００９５】
上記順守の割合の閾値が１つである場合、料金設定部１１２は、例えば基準料金よりも所定分高い制御料金を設定する。
【００９６】
また、上記順守の割合の閾値が複数存在する場合には、料金設定部１１２は、貸し出し期間の順守の割合と複数の閾値との比較によって、貸し出し期間の順守の割合に応じて、段階的に高い制御料金を設定することが可能である。
【００９７】
上記順守の割合の閾値は、予め設定されている固定値であってもよいし、操作デバイス１５８に対する操作などに応じて変更可能な可変値であってもよい。
【００９８】
第２の例に係る設定処理を行う料金設定部１１２は、例えば上記のように、貸し出し期間の順守の割合に対応してより高い制御料金を設定することによって、制御料金を動的に設定する。
【００９９】
貸し出し期間の順守の割合に対応してより高い制御料金が設定されることによって、移動体制御運用者が移動体サービス提供者から受け取る制御料金は、制御料金が一定である場合よりも大きくなる。よって、例えば“移動体制御運用者が利益を得やすい”という効果が、奏される。
【０１００】
ここで、貸し出し期間の順守の割合に対応してより高い制御料金が設定される場合とは、車両３００の貸し出しの効率がよく、一台あたりの車両３００の収益が大きい場合に相当する。そのため、情報処理装置１００が貸し出し期間の順守の割合に対応してより高い制御料金を設定したとしても、移動体サービス提供者の収益に与える影響は小さい。
【０１０１】
（Ｂ−２）車両３００の貸し出し状況の第２の例
本発明の実施形態に係る車両３００の貸し出し状況の第２の例としては、例えば、“車両３００ごとの、予約期間よりも貸し出し期間が短い割合”、“所定の地域ごとの、予約期間よりも貸し出し期間が短い割合”、あるいは、“車両３００が備える装備ごとの、予約期間よりも貸し出し期間が短い割合”が、挙げられる。
【０１０２】
車両３００の貸し出し状況が、上記のように貸し出し期間が短い割合で表される場合、料金設定部１１２は、貸し出し期間が短い割合に対応する制御料金を設定する。
【０１０３】
具体例を挙げると、料金設定部１１２は、“貸し出し期間が短い割合が、設定されている貸し出し期間が短い割合の閾値より大きい場合”、または、“貸し出し期間が短い割合が、当該貸し出し期間が短い割合の閾値以上である場合”に、より高い制御料金を設定する。
【０１０４】
上記貸し出し期間が短い割合の閾値が１つである場合、料金設定部１１２は、例えば基準料金よりも所定分高い制御料金を設定する。
【０１０５】
また、上記貸し出し期間が短い割合の閾値が複数存在する場合、料金設定部１１２は、貸し出し期間が短い割合と複数の閾値との比較によって、貸し出し期間が短い割合に応じて、段階的に高い制御料金を設定することが可能である。
【０１０６】
上記貸し出し期間が短い割合の閾値は、予め設定されている固定値であってもよいし、操作デバイス１５８に対する操作などに応じて変更可能な可変値であってもよい。
【０１０７】
第２の例に係る設定処理を行う料金設定部１１２は、例えば上記のように、貸し出し期間が短い割合に対応してより高い制御料金を設定することによって、制御料金を動的に設定する。
【０１０８】
貸し出し期間が短い割合に対応してより高い制御料金が設定されることによって、移動体制御運用者が移動体サービス提供者から受け取る制御料金は、制御料金が一定である場合よりも大きくなる。よって、例えば“移動体制御運用者が利益を得やすい”という効果が、奏される。
【０１０９】
ここで、貸し出し期間が短い割合に対応してより高い制御料金が設定される場合とは、車両３００の貸し出しの効率がよく、一台あたりの車両３００の収益が大きい場合に相当する。そのため、情報処理装置１００が貸し出し期間が短い割合に対応してより高い制御料金を設定したとしても、移動体サービス提供者の収益に与える影響は小さい。
【０１１０】
（Ｂ−３）車両３００の貸し出し状況の第３の例
本発明の実施形態に係る車両３００の貸し出し状況の第３の例としては、例えば、“車両３００ごとの、１回の貸し出しあたりの貸し出し期間の長さ”、“所定の地域ごとの、１回の貸し出しあたりの貸し出し期間の長さ”、あるいは、“車両３００が備える装備ごとの、１回の貸し出しあたりの貸し出し期間の長さ”が、挙げられる。
【０１１１】
車両３００の貸し出し状況が、上記のように貸し出し期間の長さで表される場合、料金設定部１１２は、貸し出し期間の長さに対応する制御料金を設定する。
【０１１２】
具体例を挙げると、料金設定部１１２は、“貸し出し期間の長さが、設定されている貸し出し期間の長さの閾値より大きい場合”、または、“貸し出し期間の長さが、当該貸し出し期間の長さの閾値以上である場合”に、より高い制御料金を設定する。
【０１１３】
上記貸し出し期間の長さの閾値が１つである場合、料金設定部１１２は、例えば基準料金よりも所定分高い制御料金を設定する。
【０１１４】
また、上記貸し出し期間の長さの閾値が複数存在する場合、料金設定部１１２は、貸し出し期間の長さと複数の閾値との比較によって、貸し出し期間の長さに応じて、段階的に高い制御料金を設定することが可能である。
【０１１５】
上記貸し出し期間の長さの閾値は、予め設定されている固定値であってもよいし、操作デバイス１５８に対する操作などに応じて変更可能な可変値であってもよい。
【０１１６】
第２の例に係る設定処理を行う料金設定部１１２は、例えば上記のように、貸し出し期間の長さに対応してより高い制御料金を設定することによって、制御料金を動的に設定する。
【０１１７】
貸し出し期間の長さに対応してより高い制御料金が設定されることによって、移動体制御運用者が移動体サービス提供者から受け取る制御料金は、制御料金が一定である場合よりも大きくなる。よって、例えば“移動体制御運用者が利益を得やすい”という効果が、奏される。
【０１１８】
ここで、貸し出し期間の長さに対応してより高い制御料金が設定される場合とは、車両３００の貸し出しの効率がよく、一台あたりの車両３００の収益が大きい場合に相当する。そのため、情報処理装置１００が貸し出し期間の長さに対応してより高い制御料金を設定したとしても、移動体サービス提供者の収益に与える影響は小さい。
【０１１９】
料金設定部１１２は、例えば上記（Ｂ−１）〜上記（Ｂ−３）に示す例のように、車両３００の貸し出し状況が車両３００の貸し出しの効率がよいことを示す場合に、車両３００の貸し出し状況に対応する制御料金として、より高い制御料金を設定する。
【０１２０】
なお、第２の例に係る設定処理は、上記に示す例に限られない。
【０１２１】
例えば、料金設定部１１２は、車両３００の貸し出し状況が車両３００の貸し出しの効率がよくないことを示す場合に、車両３００の貸し出し状況に対応する制御料金として、より低い制御料金を設定してもよい。車両３００の貸し出しの効率がよくないことは、例えば上記（Ｂ−１）〜上記（Ｂ−３）に示す例と同様に、各指標に対する閾値処理により判定することが可能である。
【０１２２】
また、例えば、料金設定部１１２は、利用者ごとの貸し出し状況に対応して、制御料金を動的に設定してもよい。
【０１２３】
（Ｃ）設定処理の第３の例：移動体の貸し出しの予約状況を指標とする設定処理の一例
料金設定部１１２は、例えばデータベースＤＢに記録されている貸出情報を解析することによって、指標として、車両３００の貸し出しの予約状況を取得する。一例を挙げると、料金設定部１１２は、移動体の貸し出しの予約に関する情報（貸出情報の他の例）を解析して、車両３００の貸し出しの予約状況を取得する。なお、料金設定部１１２は、情報処理装置１００の外部装置から車両３００の貸し出しの予約状況を取得することも可能である。
【０１２４】
車両３００の貸し出しの予約状況が取得されると、料金設定部１１２は、車両３００の貸し出しの予約状況に対応する制御料金を設定する。以下、車両３００の貸し出しの予約状況の具体例を挙げつつ、車両３００の貸し出しの予約状況に対応する制御料金の設定する設定処理の一例を、説明する。
【０１２５】
（Ｃ−１）車両３００の貸し出しの予約状況の第１の例
本発明の実施形態に係る車両３００の貸し出しの予約状況の第１の例としては、例えば、“所定の期間における車両３００ごとの予約数、“所定の期間における所定の地域ごとの予約数”、あるいは、“所定の期間における車両３００が備える装備ごとの予約数”が、挙げられる。所定の期間は、予め設定されている固定の期間であってもよいし、操作デバイス１５８に対する操作などに応じて変更可能な可変の期間であってもよい。
【０１２６】
車両３００の貸し出しの予約状況が、上記のように予約数で表される場合、料金設定部１１２は、予約数に対応する制御料金を設定する。
【０１２７】
具体例を挙げると、料金設定部１１２は、“予約数が、設定されている予約数の閾値より大きい場合”、または、“予約数が、当該予約数の閾値以上である場合”に、より高い制御料金を設定する。
【０１２８】
上記予約数の閾値が１つである場合、料金設定部１１２は、例えば基準料金よりも所定分高い制御料金を設定する。
【０１２９】
また、上記予約数の閾値が複数存在する場合、料金設定部１１２は、予約数と複数の閾値との比較によって、予約数に応じて、段階的に高い制御料金を設定することが可能である。
【０１３０】
上記予約数の閾値は、予め設定されている固定値であってもよいし、操作デバイス１５８に対する操作などに応じて変更可能な可変値であってもよい。
【０１３１】
第３の例に係る設定処理を行う料金設定部１１２は、例えば上記のように、予約数に対応してより高い制御料金を設定することによって、制御料金を動的に設定する。
【０１３２】
予約数に対応してより高い制御料金が設定されることによって、移動体制御運用者が移動体サービス提供者から受け取る制御料金は、制御料金が一定である場合よりも大きくなる。よって、例えば“移動体制御運用者が利益を得やすい”という効果が、奏される。
【０１３３】
ここで、予約数に対応してより高い制御料金が設定される場合とは、車両３００の貸し出しの効率がよく、一台あたりの車両３００の収益が大きい場合に相当する。そのため、情報処理装置１００が予約数に対応してより高い制御料金を設定したとしても、移動体サービス提供者の収益に与える影響は小さい。
【０１３４】
（Ｃ−２）車両３００の貸し出しの予約状況の第２の例
本発明の実施形態に係る車両３００の貸し出しの予約状況の第２の例としては、例えば、“所定の期間における車両３００ごとの予約キャンセル数”、“所定の期間における所定の地域ごとの予約キャンセル数”、あるいは、“所定の期間における車両３００が備える装備ごとの予約キャンセル数”が、挙げられる。
【０１３５】
車両３００の貸し出しの予約状況が、上記のように予約キャンセル数で表される場合、料金設定部１１２は、予約キャンセル数に対応する制御料金を設定する。
【０１３６】
具体例を挙げると、料金設定部１１２は、“予約キャンセル数が、設定されている予約キャンセル数の閾値より小さい場合”、または、“予約キャンセル数が、当該予約キャンセル数の閾値以下である場合”に、より高い制御料金を設定する。
【０１３７】
上記予約キャンセル数の閾値が１つである場合、料金設定部１１２は、例えば基準料金よりも所定分高い制御料金を設定する。
【０１３８】
また、上記予約キャンセル数の閾値が複数存在する場合、料金設定部１１２は、予約キャンセル数と複数の閾値との比較によって、予約キャンセル数に応じて、段階的に高い制御料金を設定することが可能である。
【０１３９】
上記予約キャンセル数の閾値は、予め設定されている固定値であってもよいし、操作デバイス１５８に対する操作などに応じて変更可能な可変値であってもよい。
【０１４０】
第３の例に係る設定処理を行う料金設定部１１２は、例えば上記のように、予約キャンセル数に対応してより高い制御料金を設定することによって、制御料金を動的に設定する。
【０１４１】
予約キャンセル数に対応してより高い制御料金が設定されることによって、移動体制御運用者が移動体サービス提供者から受け取る制御料金は、制御料金が一定である場合よりも大きくなる。よって、例えば“移動体制御運用者が利益を得やすい”という効果が、奏される。
【０１４２】
ここで、予約キャンセル数に対応してより高い制御料金が設定される場合とは、車両３００の貸し出しの効率がよく、一台あたりの車両３００の収益が大きい場合に相当する。そのため、情報処理装置１００が予約キャンセル数に対応してより高い制御料金を設定したとしても、移動体サービス提供者の収益に与える影響は小さい。
【０１４３】
料金設定部１１２は、例えば上記（Ｃ−１）、上記（Ｃ−２）に示す例のように、車両３００の予約状況が車両３００の貸し出しの効率がよいことを示す場合に、車両３００の予約状況に対応する制御料金として、より高い制御料金を設定する。
【０１４４】
なお、第３の例に係る設定処理は、上記に示す例に限られない。
【０１４５】
例えば、料金設定部１１２は、車両３００の予約状況が車両３００の貸し出しの効率がよくないことを示す場合に、車両３００の予約状況に対応する制御料金として、より低い制御料金を設定してもよい。車両３００の貸し出しの効率がよくないことは、例えば上記（Ｃ−１）、上記（Ｃ−２）に示す例と同様に、各指標に対する閾値処理により判定することが可能である。
【０１４６】
また、例えば、料金設定部１１２は、利用者ごとの予約状況に対応して、制御料金を動的に設定してもよい。
【０１４７】
［１−１−３］送信制御部１１４
送信制御部１１４は、例えば、通信部１０２を構成する通信デバイスにおける通信、または、情報処理装置１００に接続されている外部の通信デバイスにおける通信を制御する役目を果たす。送信制御部１１４は、例えば、通信デバイスを制御する制御信号と、送信対象のデータとを、制御対象の通信デバイスに伝達することによって、制御対象の通信デバイスにおける通信を制御する。
【０１４８】
一例を挙げると、送信制御部１１４は、制御結果情報を所定の外部装置へ送信させる。
【０１４９】
本発明の実施形態に係る制御結果情報とは、例えば、貸出制御部１１０における処理結果と、料金設定部１１２における処理結果との一方または双方を含むデータである。貸出制御部１１０における処理結果を示すデータとしては、例えば貸出情報が挙げられる。また、料金設定部１１２における処理結果を示すデータとしては、例えば制御料金を示すデータが挙げられる。つまり、制御結果情報には、例えば、貸出制御部１１０において行われた制御処理の内容と、料金設定部１１２において設定された制御料金との一方または双方が含まれる。
【０１５０】
また、本発明の実施形態に係る所定の外部装置としては、例えば情報処理装置２００のような移動体サービス提供者に属する装置が、挙げられる。なお、所定の外部装置は、移動体サービス提供者に属する装置への制御結果情報の送信を中継する中継装置などの、移動体サービス提供者に属する装置以外の装置であってもよい。
【０１５１】
制御結果情報が、情報処理装置２００のような移動体サービス提供者に属する装置に送信されることによって、移動体サービス提供者は、移動体制御運用者において行われた制御処理の内容と、設定された制御料金とを把握することができる。よって、情報処理システム１０００では、例えば図１に示すような移動体サービス提供者から移動体制御運用者への制御料金の支払いを、円滑に行うことが可能となる。
【０１５２】
なお、送信制御部１１４が所定の外部装置に対して送信させる情報の例は、制御結果情報に限られない。
【０１５３】
例えば、送信制御部１１４は、さらに、貸出情報の解析結果を示す情報を、所定の外部装置へ送信させてもよい。上述したように、貸出情報を解析する処理は、情報処理装置１００において行われてもよいし、情報処理装置１００の外部装置において行われてもよい。
【０１５４】
貸出情報の解析結果を示す情報の一例としては、収益性が高い車両３００のＩＤを示すデータ、収益性が高い地域のＩＤを示すデータ、収益性が高い装備を示すデータなどの、収益性が高い条件を通知するデータが挙げられる。また、貸出情報の解析結果を示す情報の他の例としては、収益性が低い車両３００のＩＤを示すデータ、収益性が低い地域のＩＤを示すデータ、収益性が低い装備を示すデータなどの、収益性が低い条件を通知するデータが挙げられる。なお、貸出情報の解析結果を示す情報の例が、上記に示す例に限られないことは、言うまでもない。
【０１５５】
例えば上記に示す例のような貸出情報の解析結果を示す情報が、情報処理装置２００のような移動体サービス提供者に属する装置に送信されることによって、移動体サービス提供者は、収益性の向上を図ることや、収益性の改善を図ることによって、より高い収益を得ることが可能となる。また、貸出情報の解析結果を示す情報によりより高い収益を得ることができれば、情報処理装置１００においてより高い制御料金が設定されたとしても、移動体サービス提供者は制御料金の設定結果を受け入れ易いと、考えられる。
【０１５６】
したがって、上記に示す例のような貸出情報の解析結果を示す情報が、情報処理装置２００のような移動体サービス提供者に属する装置に送信されることによって、例えば“移動体制御運用者と移動体サービス提供者との双方共に、利益を得やすい”という効果が、奏される。
【０１５７】
制御部１０４は、例えば貸出制御部１１０、料金設定部１１２、および送信制御部１１４を備えることによって、制御処理の実行を代理すると共に、動的に制御料金を設定する。
【０１５８】
なお、制御部１０４の機能構成は、図２に示す例に限られない。例えば、制御部１０４は、情報処理装置１００が有する機能の切り分け方に応じた、任意の機能構成を有することが可能である。
【０１５９】
情報処理装置１００は、例えば図２に示す機能構成によって、制御処理の実行を代理すると共に、動的に制御料金を設定する。
【０１６０】
なお、情報処理装置１００の機能構成は、図２に示す例に限られない。
【０１６１】
例えば、情報処理装置１００は、図２に示す貸出制御部１１０、料金設定部１１２、および送信制御部１１４のうちの一部または全部を、制御部１０４とは個別に備えること（例えば、別の処理回路で実現すること）ができる。
【０１６２】
また、例えば、通信部１０２と同様の機能、構成を有する外部の通信デバイスを介して、外部装置と通信を行う場合には、情報処理装置１００は、通信部１０２を備えていなくてもよい。
【０１６３】
［１−２］情報処理装置２００（第２の情報処理装置）
情報処理装置２００は、移動体サービス提供者に属する装置である。情報処理装置２００は、例えば、移動体制御運用者に委託した処理以外の、移動体に関するサービスに係る任意の処理を行う。なお、情報処理装置２００が、移動体制御運用者に委託した処理を行うことが可能であってもよいことは、言うまでもない。
【０１６４】
情報処理装置２００は、例えば図３を参照して説明した情報処理装置１００と同様のハードウェア構成を有する。情報処理装置２００は、情報処理装置２００が備えているバッテリなどの内部電源から供給される電力、または、商用電源などの外部電源から供給される電力などによって、駆動する。
【０１６５】
［２］本発明の実施形態に係る情報処理システムにより奏される効果の一例
例えば図１に示す情報処理システム１０００のような、本発明の実施形態に係る情報処理システムが用いられることによって、例えば下記に示す効果が奏される。なお、本発明の実施形態に係る情報処理システムにより奏される効果が、下記に示す効果に限られないことは、言うまでもない。
・本発明の実施形態に係る情報処理システムでは、移動体制御運用者に属する情報処理装置１００（第１の情報処理装置）において制御処理の実行が代理され、貸出情報に基づく指標に基づいて、制御料金が動的に設定される。上記のように制御料金が動的に設定されることによって、例えば“移動体制御運用者と移動体サービス提供者との双方共に、利益を得やすい”という効果が、奏される。
【０１６６】
［３］本発明の実施形態に係る情報処理システムを構成する各装置の適用例
以上、本発明の実施形態に係る情報処理システムの構成要素として、情報処理装置１００（第１の情報処理装置）を挙げて説明したが、本発明の実施形態は、かかる形態に限られない。本発明の実施形態は、例えば、“ＰＣ（Personal  Computer）やサーバなどのコンピュータ”や、“タブレット型の装置”など、上述した情報処理装置１００における処理を行うことが可能な、様々な機器に適用することができる。また、本発明の実施形態は、例えば、上記のような機器に組み込むことが可能な、処理ＩＣに適用することもできる。
【０１６７】
また、本発明の実施形態に係る情報処理システムの構成要素として、情報処理装置２００（第２の情報処理装置）を挙げて説明したが、本発明の実施形態は、かかる形態に限られない。本発明の実施形態は、例えば、“ＰＣやサーバなどのコンピュータ”や、“タブレット型の装置”など、上述した情報処理装置２００における処理を行うことが可能な、様々な機器に適用することができる。また、本発明の実施形態は、例えば、上記のような機器に組み込むことが可能な、処理ＩＣに適用することもできる。
【０１６８】
［４］本発明の実施形態に係るプログラム
コンピュータを、本発明の実施形態に係る第１の情報処理装置として機能させるためのプログラム（例えば、図２に示す貸出制御部１１０、料金設定部１１２、および送信制御部１１４として機能させるためのプログラム）が、コンピュータにおいてプロセッサなどにより実行されることによって、移動体の貸し出し制御が代理されると共に、移動体の貸し出し制御に対する料金が動的に設定される情報処理システムが、実現される。
【０１６９】
また、コンピュータを、本発明の実施形態に係る第１の情報処理装置として機能させるためのプログラムが、コンピュータにおいてプロセッサにより実行されることによって、上述した本発明の実施形態に係る情報処理システムにより奏される効果が、奏される。
【０１７０】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【０１７１】
例えば、上記では、コンピュータを、本発明の実施形態に係る第１の情報処理装置として機能させるためのプログラム（コンピュータプログラム）が提供されることを示したが、本発明の実施形態は、さらに、上記プログラムを記憶させた記録媒体も併せて提供することができる。上記プログラムを記憶させた記録媒体としては、例えば、“図３に示す記録媒体１５６などの、本発明の実施形態に係る第１の情報処理装置として機能する装置が備える記録媒体”や、“本発明の実施形態に係る第１の情報処理装置として機能する装置が上記プログラムを読み出すことが可能な、当該装置の外部の記録媒体”が、挙げられる。
【符号の説明】
【０１７２】
１００、２００    情報処理装置、１０２    通信部、１０４    制御部、１１０    貸出制御部、１１２    料金設定部、１１４    送信制御部、３００    車両、１０００    情報処理システム
【図１】
2019185671.tif 000003
【図２】
2019185671.tif 000004
【図３】
2019185671.tif 000005